(57)【特許請求の範囲】
【請求項１】
防鼠材と水切りとの組合せから成り、防鼠材は、帯状網体から成るもので、その巾方向の断面形状において、木製土台の外側面に当接させて釘などで止着するための垂直板部と、この垂直板部の下端から内側斜め下方へ折曲連設された傾斜板部と、この傾斜板部の下端から外向きに折曲連設された外横向き突出板部とを備え、前記傾斜板部が、布基礎と当該布基礎の上にスペーサーを介して支持される木製土台との間の空隙内に嵌合し、前記外横向き突出板部の内端が前記布基礎の上に載るように構成され、水切りは、取付用垂直板部と、この取付用垂直板部の下端から外側へ斜め下向きに折曲連設された張出板部と、この張出板部の外端から垂直に立ち下がる立ち下がり垂直板部とから成り、当該水切りが、前記取付用垂直板部の下端を前記防鼠材の垂直板部の上端に載せた状態で、当該取付用垂直板部を木製土台の外側面に釘などにより止着して取り付けられた、木造建築物の土台部水切り防鼠構造。
【請求項２】
前記防鼠材の帯状網体がエキスパンドメタルから成る、請求項１に記載の木造建築物の土台部水切り防鼠構造。
【請求項３】
前記防鼠材の外横向き突出板部の全体が斜め下方に傾斜した形状である、請求項１または２に記載の木造建築物の土台部水切り防鼠構造。
【請求項４】
前記防鼠材の外横向き突出板部が、垂直板部の真下付近までの部分が略水平で、これより遊端までの部分が斜め下方に傾斜した形状である、請求項１または２に記載の木造建築物の土台部水切り防鼠構造。
【発明の詳細な説明】
【０００１】
【発明の属する技術分野】
本発明は、布基礎の上に通気用空隙を形成するためのスペーサーを介在して木製土台を敷設する木造建築物の土台部に対する水切りと防鼠のための構造に関するものである。
【０００２】
【従来の技術】
前記のように、布基礎の上に通気用空隙を形成するためのスペーサーを介在して木製土台を敷設する木造建築物の土台部構造においては、布基礎と木製土台との間の通気用空隙が１〜２Ｃｍ程度であるから、この通気用空隙を経由して鼠などの小動物が床下へ侵入するのを防止するための防鼠手段をこうじる必要がある。
【０００３】
このような場合に採用される従来の防鼠手段は、木製土台の外側面に取り付けられる金属板製の水切りの下端部から内向きに連設した網状防鼠材から構成されていた。
【０００４】
【発明が解決しようとする課題】
上記のような従来の水切り一体形の防鼠手段では、網状防鼠材を備えた特殊な水切りが必要なため、従来の水切りを活用することができず、不経済であった。
【０００５】
【課題を解決するための手段】
本発明は上記のような従来の問題点を解消し得る木造建築物の土台部水切り防鼠構造を提供することを目的とするものであって、その手段を後述する実施形態の参照符号を付して示すと、防鼠材６と水切り１２との組合せから成り、防鼠材６は、帯状網体から成るもので、その巾方向の断面形状において、木製土台４の外側面４ａに当接させて釘８などで止着するための垂直板部９と、この垂直板部９の下端から内側斜め下方へ折曲連設された傾斜板部１０と、この傾斜板部１０の下端から外向きに折曲連設された外横向き突出板部１１とを備え、前記傾斜板部１０が、布基礎１と当該布基礎１の上にスペーサー３を介して支持される木製土台４との間の空隙２内に嵌合し、前記外横向き突出板部１１の内端が前記布基礎１の上に載るように構成され、水切り１２は、取付用垂直板部１３と、この取付用垂直板部１３の下端から外側へ斜め下向きに折曲連設された張出板部１４と、この張出板部１４の外端から垂直に立ち下がる立ち下がり垂直板部１５とから成り、当該水切り１２が、前記取付用垂直板部１３の下端１３ａを前記防鼠材６の垂直板部９の上端に載せた状態で、当該取付用垂直板部１３を木製土台４の外側面４ａに釘１６などにより止着して取り付けられた構成となっている。
【０００６】
なお、具体的には、前記防鼠材６の帯状網体として、エキスパンドメタル７を使用するのが望ましい。また、前記防鼠材６の外横向き突出板部１１は、その全体を斜め下方に傾斜した形状とすることができるし、前記防鼠材６の垂直板部９の真下付近までの部分が略水平で、これより遊端までの部分が斜め下方に傾斜した形状とすることもできる。
【０００７】
【発明の実施の形態】
以下に本発明の好適実施形態を添付図に基づいて説明すると、図１及び図２において、１は布基礎であって、その上に通気用空隙２を形成するためのスペーサー３を介在して木製土台４が敷設され、当該木製土台４の上に柱５が立設される。６は防鼠材であって、図３及び図４に示すように菱形状の網目７ａを有するエキスパンドメタル７を利用した一定巾（例えば３０〜４０ｍｍ程度）の帯状網体から構成され、図１に示すように、その巾方向の断面形状において、木製土台４の外側面４ａに当接させて釘８などで止着するための垂直板部９と、この垂直板部９の下端から内側斜め下方へ折曲連設された傾斜板部１０と、この傾斜板部１０の下端から外向きに折曲連設された外横向き突出板部１１とを備え、前記傾斜板部１０が、布基礎１と木製土台４との間の通気用空隙２内に嵌合し、前記外横向き突出板部１１の内端が前記布基礎１の上端面１ａに載るように構成されている。
【０００８】
１２は金属板製の水切りであって、前記木製土台４の外側面４ａに対する取付用垂直板部１３と、この取付用垂直板部１３の下端から外側へ斜め下向きに折曲連設された張出板部１４と、この張出板部１４の外端から垂直に立ち下がる立ち下がり垂直板部１５とから成る。この水切り１２が、その取付用垂直板部１３の下端１３ａを前記防鼠材６の垂直板部９の上端に載せた状態で、当該取付用垂直板部１３を木製土台４の外側面４ａに釘１６などにより止着して取り付けられる。
【０００９】
なお、図示のスペーサー３は、ステンレススチールなどの金属製基板１７に、スリットの形成とプレス加工とにより多数の湾曲板ばね状部分１８とカップ形脚部１９とを下向き（布基礎１側）に突設して成るものであって、本出願人が先に種々の構造を提案している公知のものであるが、スペーサー３としては、これに限定されるわけではない。しかしながら、防鼠材６は布基礎１の長さ方向に連続する（一定長さ（例えば１ｍ程度）のものを連続するように配置する）ものであって、スペーサー３の外側にも防鼠材６は存在するので、この防鼠材６の傾斜板部１０が、スペーサー３の真横位置においても布基礎１と木製土台４との間の通気用空隙２内に嵌合し得るものでなければならない。従って、図示のスペーサー３のように、木製土台４の底面に当接する基板１７に対し、布基礎１の上に当接する部分（湾曲板ばね状部分１８とカップ形脚部１９）とが内側に入り込んだ構造のものが望ましい。
【００１０】
防水シート、ラス、及びモルタルなどで構成される壁２０は、水切り１１の少なくとも取付用垂直板部１３を覆うように仕上げられ、この結果、水切り１１の取付用垂直板部１３や張出板部１４の全部または一部が前記壁２０によりカバーされ、見えなくなる。また、布基礎１の外側面１ｂがモルタルなどで仕上げられる場合、防鼠材６の外横向き突出板部１１は、その仕上げモルタル層２１の上端を決める型枠板となる。
【００１１】
なお、防鼠材６の外横向き突出板部１１は、図５Ａに示すように、垂直板部９の真下付近までの部分は略水平で、これより遊端までの部分が斜め下方に傾斜する形状の他、図５Ｂに示すように、全体が斜め下方に傾斜する形状や、図５Ｃに示すように、全体が略水平な形状であっても良い。
【００１２】
【発明の効果】
以上のように構成される本発明の木造建築物の土台部水切り防鼠構造に使用される防鼠材は、一定巾の帯状網体の曲げ加工により簡単且つ安価に構成し得るものであって、この防鼠材の使用により、布基礎と土台との間の通気用空隙から床下に小動物などが侵入するのを確実に防止することができるにもかかわらず、水切りは従来のものをそのまま活用して、経済的且つ容易に土台部の水切り防鼠手段を構成することができる。しかも、防鼠材の取り付けに際しては、その傾斜板部を前記通気用空隙内に嵌合させた状態で外横向き突出板部の内端を確実に布基礎の上に載せて、防鼠材全体を容易に位置決めすることができるので、防鼠材を簡単容易且つ所期通りの位置に正確に取り付けることができる。また、防鼠材の外横向き突出板部は、布基礎の外側をモルタル層で仕上げる場合の当該モルタル層の上端を位置決めする型枠として活用することができ、布基礎外側のモルタル層による仕上げ作業が容易に行えるだけでなく、当該モルタル層のモルタルが前記通気用空隙を塞いでしまうのを防止できる。
【００１３】
なお、請求項２に記載のように、エキスパンドメタル、例えば縦５ｍｍ程度、横１４ｍｍ程度の菱形網目を有し且つ巾が１０００〜２０００ｍｍ程度のエキスパンドメタルを４０ｍｍ程度の間隔で裁断して成る帯状網体を使用することにより、防鼠効果の高い防鼠材を容易に構成することができる。
【００１４】
また、請求項３に記載の構成によれば、布基礎の外側面をモルタル層で仕上げる際の当該モルタル層の上端を位置決めする型枠となる部分が斜め下方に傾斜しているので、モルタルが防鼠材の網目を通って上側に盛り上がっても、布基礎と土台との間の通気用空隙を塞いでしまう恐れが極減する。また、請求項４に記載の構成によれば、前記請求項３に記載された構成による効果が得られるばかりでなく、外横向き突出板部の内端が略水平になるので、この内端を布基礎の上に安定的に載置して防鼠材全体の位置決めを容易に行うことができる。
【図面の簡単な説明】
【図１】  Ａ図は本発明防鼠材を使用する土台部防鼠構造の分解縦断側面図であり、Ｂ図は本発明防鼠材を使用して組み立てられた土台部防鼠構造の縦断側面図である。
【図２】  図１Ｂの一部切り欠き正面図である。
【図３】  防鼠材の正面図である。
【図４】  Ａ図は防鼠材を構成するエキスパンドメタルの部分拡大図であり、Ｂ図はそのＡ−Ａ線断面図である。
【図５】  Ａ図〜Ｃ図はそれぞれ防鼠材の形状を示す縦断側面図である。
【符号の説明】
１    布基礎
１ａ  布基礎上端面
２    通気用空隙
３    スペーサー
４    木製土台
４ａ  木製土台外側面
６    防鼠材
８    釘など
９    垂直板部
１０    傾斜板部
１１    外横向き突出板部
１２    水切り
２０    壁
２１    布基礎外側面の仕上げモルタル層
【図１】
0003705475.tif 000002
【図２】
0003705475.tif 000003
【図３】
0003705475.tif 000004
【図４】
0003705475.tif 000005
【図５】
0003705475.tif 000006